(57)【要約】【課題】レジューム情報である再生位置情報をテレビ側制御手段側に記憶させることにより、フラッシュメモリの長寿命化を測るとともに、ディスク装置側をオフとしているテレビモード時においても、ディスクの再生位置情報を簡単な操作で表示部に表示させる。【解決手段】動作停止時のディスクの再生位置情報をフラッシュメモリ４に記憶するレジューム機能を有するディスク装置のディスク側マイコン１１と、テレビジョン受信装置のＴＶ側マイコン２１とがバス通信３５によって双方向通信可能に接続されており、ディスク装置の再生動作を停止したときのディスクの再生位置情報を、フラッシュメモリ１４ではなくＴＶ側マイコン２１に接続されているＥＥＰＲＯＭ２９に記憶する。【選択図】図１
2007134857.tif 000002
【特許請求の範囲】
【請求項１】
動作停止時のディスクの再生位置情報をフラッシュメモリに記憶するレジューム機能を有するディスク装置のディスク側制御手段と、テレビジョン受信装置のテレビ側制御手段とがバス通信によって接続されたディスク装置内蔵型テレビジョン受信装置において、
前記動作停止時のディスクの再生位置情報を、前記フラッシュメモリではなく前記テレビ側制御手段に接続されている外部記憶装置に記憶するとともに、前記外部記憶装置がＥＥＰＲＯＭと装置本体のカードスロットに着脱可能に設けられているカードメモリとからなり、
前記テレビ側制御手段は、再生位置情報の前記外部記憶装置への記憶時、前記カードスロットにカードメモリが装着されているか否かを判断し、装着されていない場合には前記ＥＥＰＲＯＭに前記再生位置情報を記憶する一方、前記カードスロットにカードメモリが装着されている場合には、カードメモリに前記再生位置情報とその再生位置の画像情報とを合わせて記憶し、かつ、テレビモード時において前記再生位置情報の読み出し要求があった場合には、前記外部記憶装置に記憶されている再生位置情報または再生位置情報と画像情報とを読み出して表示手段に表示することを特徴とするディスク装置内蔵型テレビジョン受信装置。
【請求項２】
動作停止時のディスクの再生位置情報をフラッシュメモリに記憶するレジューム機能を有するディスク装置のディスク側制御手段と、テレビジョン受信装置のテレビ側制御手段とが通信回線によって双方向通信可能に接続された電子機器において、
前記動作停止時のディスクの再生位置情報を、前記フラッシュメモリではなく前記テレビ側制御手段に接続されている外部記憶装置に記憶することを特徴とする電子機器。
【請求項３】
前記テレビ側制御手段は、テレビモード時において前記再生位置情報の読み出し要求があった場合には、前記外部記憶装置に記憶されている再生位置情報を読み出して表示手段に表示することを特徴とする請求項２に記載の電子機器。
【請求項４】
前記外部記憶装置がＥＥＰＲＯＭである請求項２または請求項３に記載の電子機器。
【請求項５】
前記外部記憶装置がカードメモリであり、前記テレビ制御手段には、装置本体のカードスロットに挿入された前記カードメモリに情報を書き込み及び読み取るメモリ情報書込・読取部が接続されていることを特徴とする請求項２または請求項３に記載の電子機器。
【請求項６】
前記外部記憶装置がＵＳＢメモリであり、前記テレビ制御手段には、装置本体のＵＳＢ端子に接続されたＵＳＢメモリに情報を書き込み及び読み取るメモリ情報書込・読取部が接続されていることを特徴とする請求項２または請求項３に記載の電子機器。
【請求項７】
前記外部記憶装置に記憶される再生位置情報には、その位置の画像情報が含まれることを特徴とする請求項５または請求項６に記載の電子機器。
【請求項８】
前記外部記憶装置には、複数の再生位置情報の記憶が可能であることを特徴とする請求項５ないし請求項７のいずれかに記載の電子機器。
【発明の詳細な説明】
【技術分野】
【０００１】
本発明は、動作停止時のディスクの再生位置情報をフラッシュメモリに記憶するレジューム機能を有するディスク装置のディスク側制御手段と、テレビジョン受信装置のテレビ側制御手段とが通信回線によって双方向通信可能に接続された電子機器に係り、例えばディスク装置内蔵型テレビジョン受信装置に関する。
【背景技術】
【０００２】
ディスク装置は、ディスクから映像データを読み取って映像信号を生成し、その映像信号をディスプレイに出力することで、ディスクに記録されている映像データによる映像をＣＲＴやディスプレイ等の表示部に表示して再生するようになっている。この種のディスク装置は、映像の再生を停止した後、その再生停止位置から映像の再生を行うことができるレジューム機能を備えている。
【０００３】
このようなレジューム機能を備えたディスク装置は、再生動作を停止するたびに、ディスクから読み取ったデータのアドレス情報等の再生位置情報をバックアップ用のフラッシュメモリに書き込んでゆき、再生動作の再開時に、バックアップ用のフラッシュメモリに書き込まれている再生位置情報（アドレス情報等）に対応するディスク位置から記録データの読み取り動作を行うことでレジューム機能を実現するよになっている。
【０００４】
ところで、このようなディスク装置を内蔵したテレビジョン受信装置では、ディスク側制御手段とテレビ側制御手段とがバス通信によって双方向通信可能に接続されているが、ディスク側制御手段とテレビ側制御手段とは完全に独立しているため、ディスク装置側で保持している情報をテレビジョン受信装置側で把握することはしていなかった。そのため、ディスク装置側をオフとし、テレビジョン受信装置側をオンとしたテレビモード時において、ディスク装置側の情報（上記した再生位置情報）を読み出すことができなかった。
【０００５】
また、ディスクから読み取った再生位置情報をフラッシュメモリに書き込んでいるため、フラッシュメモリへの書き込み回数が多くなり、メモリの寿命を短くする原因にもなっていた。
【０００６】
そこで、上記のディスク装置内蔵型テレビジョン受信装置において、テレビ側制御手段に対応して設けられているテレビ用メモリ、及びディスク側制御手段に対応して設けられているディスク用メモリのうち、一方のメモリを両制御手段で共用することで、メモリに記憶する制御データ量を低減するものが知られている（例えば、特許文献１参照）。
【特許文献１】特開２００２−２１５５９６号公報
【発明の開示】
【発明が解決しようとする課題】
【０００７】
しかしながら、上記特許文献１のようにメモリを共用化したとしても、フラッシュメモリへの書き込み回数が減るわけではなく、依然としてフラッシュメモリの寿命を短くするといった問題がある。
【０００８】
また、ディスク装置側の情報を表示部に表示させる場合には、リモコン等によりディスク装置側を立ち上がらせ、停止してからリモコンのメニューキー等を操作して、ディスク装置側の情報を表示部に表示させる、といった煩わしい操作が必要であった。
【０００９】
本発明はかかる問題点を解決すべく創案されたもので、その目的は、レジューム情報である再生位置情報をテレビ側制御手段側に記憶させることにより、フラッシュメモリの長寿命化を測るとともに、ディスク装置側をオフとしているテレビモード時においても、ディスク装置側の情報、すなわちディスクの再生位置情報を簡単な操作で表示部に表示させることのできるディスク装置内蔵型テレビジョン受信装置等の電子機器を提供することにある。
【課題を解決するための手段】
【００１０】
上記課題を解決するため、本発明の電子機器は、動作停止時のディスクの再生位置情報をフラッシュメモリに記憶するレジューム機能を有するディスク装置のディスク側制御手段と、テレビジョン受信装置のテレビ側制御手段とが通信回線によって双方向通信可能に接続された電子機器であって、前記動作停止時のディスクの再生位置情報を、前記フラッシュメモリではなく前記テレビ側制御手段に接続されている外部記憶装置に記憶することを特徴とする。
【００１１】
この場合、前記テレビ側制御手段は、テレビモード時において前記再生位置情報の読み出し要求があった場合には、前記外部記憶装置に記憶されている再生位置情報を読み出して表示手段に表示する。すなわち、ディスク装置側の電源がオフ状態であっても、再生位置情報はテレビジョン受信装置側の外部記憶装置に記憶されているため、ディスク装置の電源をいちいちオンにしなくても、テレビジョン受信装置側単独でディスク装置側の情報を表示部に表示することが可能となる。また、再生位置情報をテレビ側制御手段の外部記憶装置に記憶させることで、ディスク装置側のフラッシュメモリに再生位置情報を随時書き込む必要がなくなるため、フラッシュメモリの書き込み回数を大幅に削減することができる。そのため、フラッシュメモリの長寿命化を図ることが可能となる。
【００１２】
ここで、外部記憶装置として、テレビ装置のテレビ側制御手段に元々接続されているＥＥＰＲＯＭを利用することが可能である。
【００１３】
また、外部記憶装置としてカードメモリを使用することも可能である。この場合、テレビ制御手段には、装置本体のカードスロットに挿入されたカードメモリに情報を書き込み及び読み取るメモリ情報書込・読取部が接続されている。
【００１４】
さらに、外部記憶装置としてＵＳＢメモリを使用することが可能である。この場合、テレビ制御手段には、装置本体のＵＳＢ端子に接続されたＵＳＢメモリに情報を書き込み及び読み取るメモリ情報書込・読取部が接続されている。
【００１５】
そして、外部記憶装置として上記のカードメモリやＵＳＢメモリを使用する場合には、メモリ容量を十分に確保できるので、書き込み情報として、上記の再生位置情報に加え、その位置の画像情報も含めて書き込むように構成してもよい。このように画像情報も書き込むようにしておくと、表示部に再生位置情報を表示する際、その背景画像として、その再生位置の画像を表示することができるので、ユーザは、その再生位置情報がどのストーリーのどの位置の情報であるのかを視覚的に確認することが可能となり、ユーザにとっては非常に使い勝手の良いものとなる。
【００１６】
また、外部記憶装置として上記のカードメモリやＵＳＢメモリを使用する場合には、メモリ容量を十分に確保できるので、複数の再生位置情報とその位置の画像情報とを記憶することが可能である。そして、再生時には、その複数の再生位置情報を画像情報とともに表示部に表示することで、ユーザは、所望する再生位置から映像データの再生を開始することが可能となる。
【００１７】
また、本発明のディスク装置内蔵型テレビジョン受信装置は、動作停止時のディスクの再生位置情報をフラッシュメモリに記憶するレジューム機能を有するディスク装置のディスク側制御手段と、テレビジョン受信装置のテレビ側制御手段とがバス通信によって接続されたディスク装置内蔵型テレビジョン受信装置であって、前記動作停止時のディスクの再生位置情報を、前記フラッシュメモリではなく前記テレビ側制御手段に接続されている外部記憶装置に記憶するとともに、前記外部記憶装置がＥＥＰＲＯＭと装置本体のカードスロットに着脱可能に設けられているカードメモリとからなっている。そして、前記テレビ側制御手段は、再生位置情報の前記外部記憶装置への記憶時、前記カードスロットにカードメモリが装着されているか否かを判断し、装着されていない場合には前記ＥＥＰＲＯＭに前記再生位置情報を記憶する一方、前記カードスロットにカードメモリが装着されている場合には、カードメモリに前記再生位置情報とその再生位置の画像情報とを合わせて記憶し、かつ、テレビモード時において前記再生位置情報の読み出し要求があった場合には、前記外部記憶装置に記憶されている再生位置情報または再生位置情報と画像情報とを読み出して表示手段に表示するように構成してもよい。
【００１８】
このように、再生位置情報及び画像情報をカードメモリに記憶することで、そのカードメモリをカードスロットから抜き取り、その抜き取ったメモリと装置本体から取り出したディスクとを持って別の場所に移動し、そこに設置されている本発明の機能を有する別のディスク装置内蔵型テレビジョン受信装置にディスクとカードとを装填することで、他の装置においてもその再生位置情報を利用したディスク再生が可能となるため、ユーザにとって極めて使い勝手の良いものとなる。
【発明の効果】
【００１９】
本発明によれば、ディスク装置側の電源がオフ状態であっても、再生位置情報はテレビジョン受信装置側の外部記憶装置に記憶されているため、ディスク装置の電源をいちいちオンにしなくても、テレビジョン受信装置側単独でディスク装置側の情報を表示部に表示することができる。また、再生位置情報をテレビ側制御手段の外部記憶装置に記憶させることで、ディスク装置側のフラッシュメモリに再生位置情報を随時書き込む必要がなくなるため、フラッシュメモリの書き込み回数を大幅に削減することができ、フラッシュメモリの長寿命化を図ることができる。さらに、再生位置情報及び画像情報をカードメモリやＵＳＢメモリに記憶することで、そのカードメモリやＵＳＢメモリを装置本体から抜き取り、その抜き取ったメモリと装置本体から取り出したディスクとを持って別の場所に移動し、そこに設置されている本発明の機能を有する別のディスク装置内蔵型テレビジョン受信装置にディスクとカードとを装填することで、他の装置においてもその再生位置情報を利用したディスク再生が可能となるため、ユーザにとって極めて使い勝手の良いものとなる。
【発明を実施するための最良の形態】
【００２０】
以下、本発明の実施の形態について、図面を参照して説明する。
【００２１】
図１は、本実施形態に係わるディスク装置（例えばＤＶＤ装置）内蔵型テレビジョン受信装置の要部の電気的構成を示す機能ブロック図である。ただし、本実施形態では、ＤＶＤ装置によるディスク再生処理や、テレビジョン受信装置による映像及び音声の信号処理については従来周知の処理であるので、ここではそれぞれディスク信号処理部及びＴＶ信号処理部として簡単な機能ブロックで示している。また、ＤＶＤ装置は、上記したようにレジューム機能を備えている。
【００２２】
すなわち、本実施形態のディスク装置内蔵型テレビジョン受信装置は、ディスク１３を再生するディスク制御系１０と、ＴＶ制御系２０とが１つの筐体内に機能的に連係されて格納されたもので、ディスク制御系１０全体を制御するディスク側マイコン（ディスク側制御手段）１１と、ＴＶ制御系２０全体を制御するＴＶ側マイコン（テレビ側制御手段）２１とがバス通信３５によって双方向に接続された構成となっている。
【００２３】
ディスク側マイコン１１は、本体内に装■されたディスク１３の種類を判別する判別処理や、ディスクの種類に応じた再生処理を行うディスク信号処理部１２を制御する。ディスク信号処理部１２の出力は、切換回路２５を介してＣＲＴまたはディスプレイ等の表示部２６に接続されている。また、ディスク信号処理部１２は、ディスク装置側の各種設定を行うためのセットアップ画面を含む各種設定画面を表示するためのＯＳＤ回路１２ａを備えている。
【００２４】
また、ディスク側マイコン１１は、ディスク再生動作時、ディスク１３から読み取ったデータのアドレス情報等の再生位置情報を随時書き込むフラッシュメモリ１４を備えている。
【００２５】
一方、テレビジョン信号を受信するチューナ回路２２の出力はＴＶ信号処理部２４に接続されており、ＴＶ信号処理部２４の出力は、切換回路２５を介してＣＲＴまたはディスプレイ等の表示部２６に接続されている。また、ＴＶ信号処理部２４の出力は、増幅器２７を介して内部スピーカ２８に接続されている。ＴＶ信号処理部２４は、テレビジョン受信装置側の各種設定を行うためのセットアップ画面を含む各種設定画面を表示するためのＯＳＤ回路２４ａを備えている。
【００２６】
ＴＶ側マイコン２１は、チューナ回路２２を介して受信したテレビジョン信号を映像信号や音声信号に復号し、映像信号を表示部２６に表示するとともに音声信号を内部スピーカ２８から出力するＴＶ信号処理部２４を制御する。また、ＴＶ側マイコン２１は、セットアップ画面において設定した内容を記憶するＥＥＰＲＯＭ２９を備えている。また、ＴＶ側マイコン２１には、着脱可能な外部記憶装置であるメモリカードやＵＳＢメモリ等の記録メディア４０に情報を書き込み（記憶し）、かつ書き込んだ情報を読み取るメモリ情報書込・読取部３０が接続されている。
【００２７】
さらに、ＴＶ側マイコン２１には、リモコン４１からの各種操作信号を受信する受信部３１の出力が接続されている。ＴＶ側マイコン２１は、このリモコン４１から送信されてくる各種操作信号に基づいて、ディスク制御系１０及びＴＶ制御系２０の動作制御を行うようになっている。すなわち、本実施形態では、ディスク制御系１０の電源オン、オフを含む全ての制御信号が、ＴＶ側マイコン２１を通じてディスク側マイコン１１に送信されるようになっている。また、切換回路２５の切り換え制御はＴＶ側マイコン２１によって行われるようになっている。
【００２８】
次に、上記構成のディスク装置内蔵型テレビジョン受信装置において、ＴＶ側マイコン２１での再生位置情報の取得処理について、図２及び図３に示すフローチャートを参照して説明する。
【００２９】
まず、ディスク再生処理を停止した場合の処理について、図２を参照して説明する。
【００３０】
リモコン４１からディスク再生指示が送信されてくると、これを受信したＴＶ側マイコン２１はディスク側マイコン１１に再生指示を送信し、ディスク側マイコン１１は、装填されているディスクの再生動作を開始する（ステップＳ１１）。
【００３１】
この後、リモコン４１からディスクの再生を停止する指示が送信されてくると（ステップＳ１２でＹｅｓと判断されると）、ＴＶ側マイコン２１はディスク側マイコン１１に対して再生の停止指示を送信するとともに、再生位置情報の送信要求を行う（ステップＳ１３）。
【００３２】
ディスク側マイコン１１は、再生停止指示に従ってディスク再生動作を停止するとともに、そのときの再生位置情報をＴＶ側マイコン２１に送信し、ＴＶ側マイコン２１は、この再生位置情報を受信する（ステップＳ１４）。すなわち、ディスク側マイコン１１では、再生位置情報をフラッシュメモリ１４に記憶する処理を行わない。そして、ＴＶ側マイコン２１が全ての情報を取得すると（ステップＳ１５でＹｅｓと判断されると）、取得した再生位置情報を外部記憶装置である例えばＥＥＰＲＯＭ２９に記憶する（ステップＳ１６）。ＴＶ側マイコン２１は、ディスク再生動作中において、リモコン４１からディスクの再生を停止する指示が送信されてくるたびに、上記の処理を繰り返すことになる。
【００３３】
次に、ディスク装置の電源をオフした場合の処理について、図３を参照して説明する。
【００３４】
リモコン４１からディスク装置の電源をオフする信号が送信されてくると（ステップＳ２１）、ＴＶ側マイコン２１はディスク側マイコン１１に対して再生位置情報を含むディスク装置側の最新情報の送信要求を行い、ディスク側マイコン１１は、この送信要求に従って最新情報をＴＶ側マイコン２１に送信し、ＴＶ側マイコン２１は、この最新情報を受信する（ステップＳ２２）。そして、受信した最新情報に従って、ＥＥＰＲＯＭ２９に記憶されている情報の更新処理を行い（ステップＳ２３）、この後、ディスク装置の電源をオフする（ステップＳ２４）。
【００３５】
なお、電源がオフされない場合（ステップＳ２１でＮｏと判断された場合）には、必要に応じてその他の処理を実行することになる（ステップＳ２５）。
【００３６】
図４は、上記の処理とは別に、ＴＶ側マイコン２１とディスク側マイコン１１との間で行われている通常の処理動作を示すフローチャートである。すなわち、ＴＶ側マイコン２１とディスク側マイコン１１とは完全に独立しているため、ＴＶ側マイコン２１では、ディスク側マイコン１１の処理内容を常に把握しているわけではない。そのため、ＴＶ側マイコン２１は、一定時間経過するたびに（ステップＳ３１でＹｅｓと判断されると）、ディスク側マイコン１１に対して最新情報の送信を要求し、ディスク側マイコン１１から送信されてくる最新情報を取得している（ステップＳ３２）。
【００３７】
次に、上記のようにして再生位置情報をＥＥＰＲＯＭ２９に記憶したＴＶ側マイコン２１での再生位置情報の表示処理について説明する。
【００３８】
ＴＶ側マイコン２１は、テレビモード時においてリモコン４１から再生位置情報の読み出し指示が送信されてきた場合には、ＥＥＰＲＯＭ２９に記憶されている再生位置情報を読み出して表示部２６に表示する。すなわち、ディスク装置側の電源がオフ状態であっても、再生位置情報はテレビジョン受信装置側のＥＥＰＲＯＭ２９に記憶されているため、ディスク装置の電源をいちいちオンにしなくても、テレビジョン受信装置単独で、ディスク装置の情報を表示部２６に表示することが可能となる。
【００３９】
次に、ＴＶ側マイコン２１での再生位置情報の取得処理の他の実施例について、図５に示すフローチャートを参照して説明する。
【００４０】
リモコン４１からディスク再生指示が送信されてくると、これを受信したＴＶ側マイコン２１はディスク側マイコン１１に再生指示を送信し、ディスク側マイコン１１は、装填されているディスクの再生動作を開始する（ステップＳ４１）。
【００４１】
この後、リモコン４１からディスクの再生を停止する指示が送信されてくると（ステップＳ４２でＹｅｓと判断されると）、ＴＶ側マイコン２１はディスク側マイコン１１に対して再生の停止指示を送信するとともに、再生位置情報の送信要求を行う（ステップＳ４３）。
【００４２】
ディスク側マイコン１１は、再生停止指示に従ってディスク再生動作を停止するとともに、そのときの再生位置情報をＴＶ側マイコン２１に送信し、ＴＶ側マイコン２１は、この再生位置情報を受信する（ステップＳ４４）。すなわち、ディスク側マイコン１１では、再生位置情報をフラッシュメモリ１４に記憶する処理を行わない。そして、ＴＶ側マイコン２１が全ての情報を取得すると（ステップＳ４５でＹｅｓと判断されると）、ＴＶ側マイコン２１は、メモリ情報書込・読取部３０にメモリカードやＵＳＢメモリ等の記録メディア４０が装着されているか否かを判断する（ステップＳ４６）。
【００４３】
その結果、記録メディア４０がメモリ情報書込・読取部３０に装着されていなかった場合（ステップＳ４６でＮｏと判断された場合）には、上記図２での処理と同様、取得した再生位置情報をＥＥＰＲＯＭ２９に記憶する（ステップＳ４７）。
【００４４】
一方、記録メディア４０がメモリ情報書込・読取部３０に装着されている場合（ステップＳ４６でＹｅｓと判断された場合）には、記録メディア４０に取得した再生位置情報を書き込む（記憶する）。このとき、ＴＶ側マイコン２１は、前記再生位置情報の他に、ディスク側マイコン１１から取得したその再生位置の画像情報も合わせて記憶する（ステップＳ４８）。このように画像情報も合わせて記憶するようにしておくと、表示部２６に再生位置情報を表示する際、その背景画像として、その再生位置の画像を表示することができるので、ユーザは、その再生位置情報がどのストーリーのどの位置の情報であるのかを視覚的に確認することが可能となる。
【００４５】
ＴＶ側マイコン２１は、ディスク再生動作中において、リモコン４１からディスクの再生を停止する指示が送信されてくるたびに、上記の処理を繰り返すことになる。
【００４６】
この場合、再生位置情報の書き込みは、上書きによる更新記憶ではなく、その都度書き加えていく追加処理でもよい。つまり、１つのディスクに対して、再生動作中に何回か再生動作を停止した場合には、その停止した回数分だけ記録メディア４０に再生位置情報と画像情報とを記憶するようにしてもよい。そして、再生時には、これら複数の再生位置情報と画像情報とを表示部２６に表示し、ユーザによって任意の再生位置情報を選択可能とすることで、ユーザの所望する再生位置から再生を開始することが可能となる。
【００４７】
また、再生位置情報及び画像情報を記録メディア４０に記憶することで、その記録メディア４０をメモリ情報書込・読取部３０から抜き取り、その抜き取った記録メディア４０と装置本体から取り出したディスク１３とを持って別の場所に移動し、そこに設置されている本発明の機能を有する別のディスク装置内蔵型テレビジョン受信装置にディスク１３と記録メディア４０とをそれぞれ装填することで、他の装置においてもその再生位置情報を利用したディスク再生が可能となる。
【図面の簡単な説明】
【００４８】
【図１】本発明のディスク装置内蔵型テレビジョン受像機の要部の電気的構成を示す機能ブロック図である。
【図２】ディスク再生処理を停止した場合のＴＶ側マイコンでの再生位置情報の取得処理を示すフローチャートである。
【図３】ディスク装置の電源をオフした場合のＴＶ側マイコンでの再生位置情報の取得処理を示すフローチャートである。
【図４】ＴＶ側マイコンとディスク側マイコンとの間で行われている通常の処理動作を示すフローチャートである。
【図５】ディスク再生処理を停止した場合のＴＶ側マイコンでの再生位置情報の取得処理の他の実施例を示すフローチャートである。
【符号の説明】
【００４９】
１０  ディスク制御系
１１  ディスク側マイコン
１２  ディスク信号処理部
１２ａ  ＯＳＤ回路
１３  ディスク
１４  フラッシュメモリ
２０  ＴＶ制御系
２１  ＴＶ側マイコン
２２  チューナ回路
２４  ＴＶ信号処理部
２４ａ  ＯＳＤ回路
２５  切換回路
２６  表示部
２７  増幅器
２８  スピーカ
２９  ＥＥＰＲＯＭ
３０  メモリ情報書込・読取部
３１  受信部
３５  バス通信
４０  記録メディア
４１  リモコン
【図１】
2007134857.tif 000003
【図２】
2007134857.tif 000004
【図３】
2007134857.tif 000005
【図４】
2007134857.tif 000006
【図５】
2007134857.tif 000007